(57)【要約】【課題】  表札の納まりがよく、且つ表札の交換も容易な機能ポールの提供。【解決手段】  表札２と、表札２を保持する表札保持枠３と、照明１１を備え、表札保持枠３は、表札２の端部を保持する溝８と、溝８を塞ぐ着脱自在な閉塞部材７を有し、溝８は、浅溝部９と深溝部１０が見込方向に隣接して設けてあり、照明１１は、表札２の下側に設けてある。【選択図】      図１
2018123525.tif 000002
【特許請求の範囲】
【請求項１】
表札と、表札を保持する表札保持枠と、照明を備え、表札保持枠は、表札の端部を保持する溝と、溝を塞ぐ着脱自在な閉塞部材を有し、溝は、浅溝部と深溝部が見込方向に隣接して設けてあり、照明は、表札の下側に設けてあることを特徴とする機能ポール。
【発明の詳細な説明】
【技術分野】
【０００１】
本発明は、住宅の玄関アプローチ等に設置される機能ポールに関する。
【背景技術】
【０００２】
住宅の玄関へのアプローチ等に、表札やインターホン等を備えた機能ポールを設置することがある。従来の機能ポールは、例えば非特許文献１に示すように、柱の見付面に表札をボルトとナットで取付けている。そのため、表札がいかにも取って付けたような感じになる上、表札の表面にボルトの頭等が露出するため、意匠的に好ましくなかった。また、表札の取替えも容易でなかった。
【先行技術文献】
【非特許文献】
【０００３】
【非特許文献１】三協立山株式会社 三協アルミ社発行のカタログ「エクステリア 総合カタログ」（カタログＮｏ．ＳＴＸ１０１３Ａ ＴＳ．１６．０３−３０００）、２０１６年３月、ｐ．２０７
【発明の概要】
【発明が解決しようとする課題】
【０００４】
本発明は以上に述べた実情に鑑み、表札の納まりがよく、且つ表札の交換も容易な機能ポールの提供を目的とする。
【課題を解決するための手段】
【０００５】
上記の課題を達成するために請求項１記載の発明による機能ポールは、表札と、表札を保持する表札保持枠と、照明を備え、表札保持枠は、表札の端部を保持する溝と、溝を塞ぐ着脱自在な閉塞部材を有し、溝は、浅溝部と深溝部が見込方向に隣接して設けてあり、照明は、表札の下側に設けてあることを特徴とする。
【発明の効果】
【０００６】
請求項１記載の発明による機能ポールは、表札の端部を表札保持枠の溝に保持し、閉塞部材で溝を塞いだことで、表札がすっきり納まり意匠性が良い。また、照明が表札の下側に設けてあるので、閉塞部材を取外すだけで表札を表札保持枠の溝に抜き差しできるので、表札の交換が容易である。さらに、表札保持枠の溝は、浅溝部と深溝部が見込方向に隣接して設けてあることで、厚みの異なる表札を溝に間違えずに挿入できる。
【図面の簡単な説明】
【０００７】
【図１】図５のＡ−Ａ断面図である。
【図２】図５のＢ−Ｂ断面図である。
【図３】図５のＣ−Ｃ断面図である。
【図４】本発明に係る機能ポールの一実施形態を示す正面図である。
【図５】同機能ポールの上部を拡大して示す正面図である。
【図６】同機能ポールの平面図である。
【図７】同機能ポールの分解斜視図である。
【図８】表札保持枠の三方枠の分解斜視図である。
【図９】照明の取付け方を示す分解斜視図である。
【図１０】図５のＡ−Ａ断面図であって、表札を板厚の薄いものに交換した状態を示す。
【図１１】図５のＡ−Ａ断面図であって、表札を台座に正方形の表札をボルト・ナットで取付けたものに交換した状態を示す。
【図１２】図５のＡ−Ａ断面図であって、照明を取付けない場合を示す。
【図１３】図５のＣ−Ｃ断面図であって、照明を取付けない場合を示す。
【図１４】本発明に係る機能ポールの他の実施形態を示す正面図である。
【図１５】図１４のＤ−Ｄ断面図である。
【発明を実施するための形態】
【０００８】
以下、本発明の実施の形態を図面に基づいて説明する。図１〜１３は、本発明に係る機能ポールの一実施形態を示している。本機能ポールは、住宅の玄関へのアプローチ等に設置されるものであり、図４，５に示すように、柱状の本体１と、本体１の上部に設けた表札２と、表札２の下側に本体１内に収納して設けた照明１１と、本体１の前面に取付けたカメラ付きインターホン１５と、本体１の側面に取付けたポスト１６を備えている。
【０００９】
本体１は、図２，４，７に示すように、横長の矩形断面の中空の形材よりなる柱部材１７と、柱部材１７の左右両側に取付けられた目板１４，１４を有する。柱部材１７は、図２に示すように、左右の側面の前後２箇所に目板取付用の係止片１８，１８が側方に突出して設けてあり、さらに前後の係止片１８，１８の間に２つの突片１９，１９を有し、そのうちの前側の突片１９にタッピングホール２０が形成してある。柱部材１７は、図４に示すように、下端部を地面Ｇに埋め込んで立設してある。
目板１４は、図２に示すように、柱部材１７よりも前方に突出する幅の狭い中空部２１と、柱部材１７の側面と対向する溝状部２２とを有している。目板１４は、溝状部２２内に設けた係止片２３，２３を柱部材１７の係止片１８，１８の内側に側方から係止させ、下端部を柱部材１７にねじ２４で固定することで、柱部材１７の側面に着脱自在に取付けてある。目板１４は、図４に示すように、下端が地面Ｇに当接しており、上部は柱部材１７の上端よりも上方に突出し、表札２の上縁とほぼ同じ高さまでのびている。
【００１０】
表札２は、図１，３に示すように、表札保持枠３に保持して取付けてあり、表札保持枠３は、図７に示すように、一対の縦枠材４，４の下端部を下枠材５で連結して成る三方枠６と、一対の縦枠材４，４の上端にまたがって取付けられる板状の閉塞部材７とで構成されている。縦枠材４は、図１に示すように、目板１４の溝状部２２内にのみ込まれる薄い板状の部材となっており、見込方向の中間に表札２の左右の端部を保持する溝８を長手方向に沿って有し、溝８の前側と後側の外周側面にタッピングホール２５を有している。溝８は、溝深さの浅い浅溝部９と、溝深さの深い深溝部１０とが見込方向に隣接して設けてあり、溝８の底面が階段状に形成されている。縦枠材４の上端は、目板１４の上端と同じ高さになっている。
下枠材５は、図１，３に示すように、照明１１の光を通すために四角い孔２６が大きく開けられており、下枠材５の上面に透光パネル１３を取付けてその孔２６を塞いである。透光パネル１３は、透明ないし半透明の樹脂板で形成してある。下枠材５は、左右両端部に下方より挿入したねじ２７を縦枠材４のタッピングホール２５に捩じ込むことで、縦枠材４と連結してある。
三方枠６は、図３，７に示すように、柱部材１７の上に載置して、上方からのねじ２８を柱部材１７のタッピングホール２０に捩じ込んで、柱部材１７上に固定してある。下枠材５は、柱部材１７の上端の小口を覆っている。
【００１１】
表札２は、上述した三方枠６の縦枠材４の溝８に左右端部を上方から挿入して取付けられる。表札２は、材質や厚みが異なる数種類のうちから選択して取付けることができ、図１，３に記載のものでは、表札２は板厚が５ｍｍで、ガラス又は樹脂で形成された透光性を有するものとなっている。この場合には、表札２の左右の端部が縦枠材４の溝８の浅溝部９に係止し且つ溝８の幅全体に納まる形で保持される。表札２は、表面に彫刻や印刷等により家を識別するための文字２９が表示してある。図３，８に示すように、下枠材５の上面には、縦枠材４の溝８に挿入してスペーサー３０が取付けてあり、これにより表札２の下端２ａが表札保持枠３の下枠材５の上面から浮かせてある。
【００１２】
閉塞部材７は、図３，６に示すように、単純な板状の部材であり、三方枠６に表札２を取付け、左右の目板１４，１４を取付けた後に、左右の縦枠材４，４及び目板１４，１４の上に載置し、縦枠材４と目板１４のタッピングホール２５，３１にそれぞれ螺入するねじ３２で固定される。閉塞部材７は、縦枠材４の溝８を塞ぎ、表札２を上から押えている。閉塞部材７の下面には、表札２の上端が当接するクッション材３３が設けてある。
【００１３】
照明１１は、図２，３に示すように、柱部材１７の上部の照明収納部１２に収納して取付けてあり、照明収納部１２は三方枠６の下枠材５に取付けた透光パネル１３で塞がれている。照明１１は、複数のＬＥＤ３４，３４，…が複数並べて上向きに設置してあり、ＬＥＤ３４，３４，…を覆うように光拡散カバー３５が取付けてある。照明１１の光３６は、上向きに拡散して照射され、透光パネル１３の全体を照らしており、透光パネル１３を透して表札２の表側と裏側の両方を照らしている。また照明１１は、表札２を照らすだけでなく、周囲の植栽等も照らすことができる。照明１１は、柱部材１７の側面に取付けたブラケット３７にねじ３８で取付けてある。柱部材１７の後壁には、照明１１の取付けや配線等を行うための点検口３９が設けてあり、点検口３９はカバー４０を取付けて塞いである。
【００１４】
本機能ポールは、ねじ３２を外し、閉塞部材７を取外して、上方から表札２を三方枠６の縦枠材４の溝８に抜き差しすることで、表札２の交換を簡単に行うことができる。
図１０は、表札２を板厚が２ｍｍのステンレス製のものに交換した状態を示している。この表札２は、図１に示した板厚５ｍｍのものよりも横幅寸法が少し大きくなっており、表札２の左右端部が縦枠材４の溝８の深溝部１０に挿入・保持してある。
図１１は、表札２のさらに別の例であって、台座４１に市販の１３０ｍｍ角の表札２をボルト４２とナット４３で取付けたものである。この場合は、台座４１の左右端部が縦枠材４の溝８の浅溝部９に係止し且つ溝８の幅全体に納まる形で保持され、表札２は溝８の幅にとらわれることなく任意の厚みのものを取付けできる。
【００１５】
図１２，１３は、照明１１が取付かない場合の実施例を示している。この場合、三方枠６の下枠材５が透光部（孔２６及び透光パネル１３）を有しないものとなっている。他の部材は、照明付きのものと兼用である。このように、三方枠６の下枠材５を透光部を有するものと有しないものの２種類の内から選択することで、照明付きと照明無しの何れにも対応することができる。
【００１６】
次に、本機能ポールの施工手順を説明する。本体１の柱部材１７の照明収納部１２に照明を取付け、柱部材１７の上に三方枠６を取付ける。次に、柱部材１７の左右両側に目板１４，１４を取付ける。次に、左右の目板１４，１４上に閉塞部材７を架設する。そうして機能ポールを組み立てたら、柱部材１７の下端部を地面Ｇに埋め込んで機能ポールを立設する。次に、機能ポールの側面にポスト１６を取付ける。次に、表札の２の取付けを行う。表札２の取付けは、閉塞部材７をいったん取外し、三方枠６の縦枠材４の溝８に表札２を上方から挿入して取付け、その後、取外した閉塞部材７を再び取付ける。その後、照明１１の配線、インターホン１５の取付けと配線を行う。
【００１７】
以上に述べたように本機能ポールは、表札２の端部を表札保持枠３の溝８に保持し、閉塞部材７で溝８を塞いだことで、表札２がすっきり納まり意匠性が良い。また、照明１１が表札２の下側に設けてあるので、閉塞部材７を取外すだけで表札２を表札保持枠３の溝８に抜き差しできるので、表札２の交換が容易である。さらに、表札保持枠３の溝８は、浅溝部９と深溝部１０が見込方向に隣接して設けてあることで、厚みの異なる表札２を溝８に間違えずに挿入できる。
さらに本機能ポールは、表札２の下端２ａが表札保持枠３から浮かせてあることで、表札保持枠３の下枠材５上にゴミが溜まったり、カビが付着したりして汚れるのを防止できる。照明１１は、表札２の表側と裏側の両方を照らすため、家の玄関側からも光が見え、ポスト１６に入ったものを取りに行ったりするのにも都合がよい。照明１１は本体１内に収納してあり、照明収納部１２を三方枠６で塞いでいるので、照明１１や配線が外部に露出せず、すっきりした意匠になる。
【００１８】
また本機能ポールは、照明１１が本体１内に収納してあり、上下方向に光を照射するものであり、透光パネル１３は、照明１１の光が照射される側に設けてあり、本体１の照明収納部１２を塞いでおり、表札２は、透光パネル１３の照明１１と反対側で透光パネル１３の見込方向中間に位置していることで、照明１１の光が表札２だけでなく周囲の植栽等も照らすことができ、意匠効果の高いものである。照明１１が本体１内に収納してあることで、配線を簡単に隠すことができる。表札２を透光性を有するものにすると、表札２自体を明るく発光させられ、ライトアップ効果が高まる。
【００１９】
また本機能ポールは、本体１は左右両端に目板１４，１４を上方に突出して有し、表札保持枠３が三方枠６と閉塞部材７とで構成され、本体１上に設置してあり、三方枠６の縦枠材４の溝８に表札２を上方から挿入して取付け、縦枠材４，４を本体１の目板１４，１４にのみ込ませ、目板１４，１４の上端に閉塞部材７を架設したので、表札保持枠３の内周側も外周側もきれいに仕上げることができ、一体感のある意匠性の優れたものになる。また、部材に切込みを設けることなく、表札２を納める構造を簡単に構成できる。
三方枠６の下枠材５は、透光部を有するものと有しないものの２種類あり、その何れかを選択して用いることで、照明付きと照明無しの何れにも対応できる。
【００２０】
図１４，１５は、本発明に係る機能ポールの他の実施形態を示している。本機能ポールは、照明１１が表札２の上側に配置してあり、下向きに光を照射するものとなっている。本体１は、柱部材１７が上下に分割され、上側の柱部材１７ａ内を照明収納部１２としてあり、照明収納部１２内に照明１１を下向きに取付けてある。
表札保持枠３は、上下の柱部材１７ａ，１７ｂの間に配置してある。表札保持枠３は、左右の縦枠材４，４と上枠材４４と下枠材５とを枠組みしてなる四方枠となっており、先に説明した実施形態と同様に、縦枠材４，４の溝８，８に表札２の左右の端部を保持してある。表札２は、上端と下端が上枠材４４と下枠材５からそれぞれ浮かせてある。上枠材４４は、照明１１の光３６を通すために孔２６が大きく開けられ、その孔２６を下から塞ぐように透光パネル１３が取付けてあり、透光パネル１３で照明収納部１２を塞いでいる。照明１１の光３６は、拡散して透光パネル１３を全体的に照らし、透光パネル１３を透して表札２の表側と裏側の両方を照らしている。
【００２１】
本実施形態の機能ポールも、先に説明した実施形態と同様に、照明１１の光３６が表札２だけでなく周囲の植栽等も照らすことができる。照明１１の光が下向きのため、機能ポールの周囲の足元を照らすことができ、照明１１の光をより効率よく利用できる。
【００２２】
本発明は以上に述べた実施形態に限定されない。機能ポールの本体の形態は、適宜変更することができる。表札の材質、形状等は任意である。照明は、ＬＥＤを用いたものに限らず、蛍光灯や白熱灯であってもよい。本発明の機能ポールは、門柱と一体になったもの（いわゆる機能門柱）であってもよい。表札、インターホン、ポスト等の配置は問わない。
【符号の説明】
【００２３】
１  本体
２  表札
３  表札保持枠
４  縦枠材
５  下枠材
６  三方枠
７  閉塞部材
８  溝
９  浅溝部
１０  深溝部
１１  照明
１２  照明収納部
１３  透光パネル
１４  目板
【図１】
2018123525.tif 000003
【図２】
2018123525.tif 000004
【図３】
2018123525.tif 000005
【図４】
2018123525.tif 000006
【図５】
2018123525.tif 000007
【図６】
2018123525.tif 000008
【図７】
2018123525.tif 000009
【図８】
2018123525.tif 000010
【図９】
2018123525.tif 000011
【図１０】
2018123525.tif 000012
【図１１】
2018123525.tif 000013
【図１２】
2018123525.tif 000014
【図１３】
2018123525.tif 000015
【図１４】
2018123525.tif 000016
【図１５】
2018123525.tif 000017